(57)【要約】【課題】入居者にリモコンが電池式であることを確実に認識させることができ、且つ試運転から実際に入居者が使用をするまでにかなりの日時が経過してもリモコンの電池の消耗を防止することができる、温水洗浄装置を提供する。【解決手段】電源プラグ４０に、洗浄ボタン４６と停止ボタン４７とが設けられており、コードユニット４８の一端が接続されている。このコードユニット４８内には、電源プラグ４０からの商用電源を温水洗浄装置本体に供給するための電源コードと、ボタン４６，４７からの信号を温水洗浄装置本体に送信するためのハーネスが配線されている。試運転のために洗浄ボタン４６を操作すると、洗浄信号がハーネスを介して温水洗浄装置本体に送信され、洗浄ノズルが作動する。ボタン４７を操作すると、洗浄が停止する。【選択図】  図１
2004324169.tif 000002
【特許請求の範囲】
【請求項１】
洋風便器に設置される温水洗浄装置本体と、該温水洗浄装置本体にコードを介して接続された電源プラグとを有する温水洗浄装置において、該電源プラグに、温水洗浄装置の操作手段が設けられており、該操作手段は該プラグからの商用電源を駆動電源とすることを特徴とする温水洗浄装置。
【請求項２】
請求項１において、該温水洗浄装置本体を操作するためのリモコンを有することを特徴とする温水洗浄装置。
【請求項３】
請求項１又は２において、前記操作手段と温水洗浄装置本体とはハーネスによって接続されていることを特徴とする温水洗浄装置。
【請求項４】
請求項３において、該ハーネスと前記コードとが一体化されていることを特徴とする温水洗浄装置。
【請求項５】
請求項１又は２において、該操作手段からの操作信号が無線、赤外線又は超音波によって該温水洗浄装置本体に伝達されることを特徴とする温水洗浄装置。
【請求項６】
請求項１ないし５のいずれか１項において、該操作部は該温水洗浄装置本体の試運転を行うためのものであることを特徴とする温水洗浄装置。
【請求項７】
請求項６において、該操作手段は、該温水洗浄装置本体の温水洗浄ノズルから温水を噴出させる信号と、この温水噴出を停止させる信号とを出力するものであることを特徴とする温水洗浄装置。
【発明の詳細な説明】
【０００１】
【発明の属する技術分野】
本発明は、洋風便器に設置され、人体臀部を温水で洗浄するための温水洗浄装置に係り、特にリモコンを備えた温水洗浄装置に関する。
【０００２】
【従来の技術】
リモコンを備えた温水洗浄装置の一例について図２，３を参照して説明する。
【０００３】
図２は温水洗浄装置を備えたトイレルーム内の斜視図、図３は温水洗浄装置のリモコンの正面図である。
【０００４】
洋風便器１０の後部上面にロータンク１１が設置され、このロータンク１１の前面側に便座ボックス１２が設置されている。ロータンク１１及び便座ボックス１２内の温水タンクには止水栓１３から給水管を介して水道水が供給可能とされている。
【０００５】
便座ボックス１２には、洗浄ノズル１５，１６及び温風乾燥ファン（図示略）等が設けられている。また、この便座ボックス１２には、暖房便座１７、便蓋１８が上下方向に回動可能に取り付けられている。
【０００６】
便座ボックス１２へは、トイレルーム壁面のコンセント１９ａに差し込まれた電源プラグ１９及び電源コード１９ｂを介して商用電源（交流１００Ｖ）が給電される。
【０００７】
この洋風便器１０の側方のトイレルーム壁面にリモコン２０が設置されている。このリモコン２０には、肛門洗浄用操作スイッチ（シャワースイッチ）２１ａ，２１ｂ，２１ｃ、ビデ洗浄用操作スイッチ２２ａ，２２ｂ，２２ｃ、温風を吹き出させるドライスイッチ２３ａ，２３ｂ，２３ｃ、肛門洗浄（シャワー洗浄）、ビデ洗浄、温風乾燥等の作動をストップさせるストップスイッチ２４が設置されている。なお、各スイッチ２１ａ〜２１ｃ、２２ａ〜２２ｃ、２３ａ〜２３ｃのうち２１ａ，２２ａ，２３ａは温水量又は温風量を少ないものとする弱スイッチであり、２１ｃ，２２ｃ，２３ｃは温水量又は温風量を多いものとする強スイッチであり、２１ｂ，２２ｂ，２３ｂは温水量又は温風量を中間量とする中スイッチである。
【０００８】
また、リモコン２０には、温水又は温風の温度を上昇させるスイッチ２５と低下させるスイッチ２６とが設けられていると共に、暖房便座１７の温度を調節するためのスイッチ２９，３０が設けられている。ただし、このスイッチ２９，３０はスイッチ２５，２６と共用するよう構成されてもよい。
【０００９】
図示はしないが、洗浄の広がりを調整するためのワイド洗浄入／切スイッチ、洗浄位置前進スイッチ、その後退スイッチ、便座の温度を調整するための便座温度調節スイッチあるいは、便座、便蓋の開閉スイッチ等が設けられてもよい。
【００１０】
リモコン２０内には、前記各スイッチ２１ａ〜２１ｃ、２２ａ〜２２ｃ、２３ａ〜２３ｃ、２４〜２６、２９、３０の操作信号を赤外線等として便座ボックス１２に向けて発信する回路などが設置されている。
【００１１】
実開平４−９７９７６号公報には、このロータンクカバーの側面に副操作部を設けることが記載されている。この副操作部を設けておくと、リモコンが故障したときでも温水洗浄装置を使用することができる。
【００１２】
【特許文献１】
実開平４−９７９７６号公報
【００１３】
【発明が解決しようとする課題】
図２，３に示す温水洗浄装置をトイレルームに設置施工した水道工務店等の施工業者は、この温水洗浄装置の試運転を行うためにリモコンに電池を入れ、リモコンのスイッチを操作して温水洗浄装置が実際に動作するかどうか試してみる。
【００１４】
このようなことから、従来の温水洗浄装置は、リモコンに電池を入れるのは施工業者であることが多く、温水洗浄装置の一般ユーザーには、リモコンが電池式のものであることを知らない人が居る。このため、このリモコンの電池が消耗したときに、電池交換せずに温水洗浄装置が故障したものと勘違いすることがある。
【００１５】
また、従来の温水洗浄装置にあっては、新築の住宅、マンション、オフィスビル等に設置され、施工業者が試運転した後、実際の入居者が温水洗浄装置を使用するまでにかなり日時が経過し、この間に電池が消耗することがある。
【００１６】
実開平４−９７９７６号公報のように、ロータンクカバーの側面に該カバーから突出しないように副操作部を設ける場合、ロータンクカバーの構造が複雑なものとなってコスト高となる。また、ロータンクカバー側面に、該カバー本体と副操作部との継ぎ目が生じることになり、美観に劣るものとなる。
【００１７】
本発明は、このような問題点を解決する温水洗浄装置を提供することを目的とする。
【００１８】
【課題を解決するための手段】
本発明の温水洗浄装置は、洋風便器に設置される温水洗浄装置本体と、該温水洗浄装置本体にコードを介して接続された電源プラグとを有する温水洗浄装置において、該電源プラグに、温水洗浄装置の操作手段が設けられており、該操作手段は該プラグからの商用電源を駆動電源とすることを特徴とするものである。
【００１９】
かかる温水洗浄装置にあっては、電源プラグをコンセントに差し込むことにより、電源プラグに設けた操作手段が信号出力可能となり、この操作手段を操作することにより温水洗浄装置本体を動作させることができる。即ち、リモコンに電池を入れることなく温水洗浄装置の試運転を行うことができる。このため、リモコンに電池を入れるのは、実際の入居者ということになり、入居者は必然的にリモコンが電池式であることを知得するようになり、電池が消耗した場合に直ちに温水洗浄装置が故障したものと勘違いすることが防止される。
【００２０】
また、施工業者が温水洗浄装置を設置施工してから入居者が使用を開始するまでの期間が長くても、電池が消耗しないようになる。
【００２１】
この電源プラグの操作手段は、温水洗浄装置本体に対しハーネスを介して操作信号を出力してもよい。この場合、ハーネスを電源コードと一体化することにより、トイレルーム内の電気配線をまとめることができる。
【００２２】
また、この電源プラグの操作手段は、無線、赤外線又は超音波により操作信号を温水洗浄装置本体に出力するものであってもよい。このうようにすれば、電源コードは既存品のもので足りる。
【００２３】
【発明の実施の形態】
以下、図面を参照して本発明の実施の形態を詳細に説明する。
【００２４】
図１は実施の形態に係る温水洗浄装置の電源プラグを説明する斜視図である。
【００２５】
本実施の形態に係る温水洗浄装置は、洋風便器に設置された温水洗浄装置本体（図示略）と、電源プラグ４０と、温水洗浄装置本体と電源プラグ４０とを接続するコードユニット４８とを備えている。
【００２６】
図示はしないが、温水洗浄装置本体は、便座ボックスやロータンクカバー内に配置された臀部を洗浄するための洗浄ノズル等を備えており、該洗浄ノズルによる洗浄機能はリモコンによって操作可能となっている。即ち、リモコンの洗浄スイッチを操作すると、リモコンから発信された操作信号が温水洗浄装置本体に受信され、洗浄ノズルから温水が噴出する。リモコンの停止スイッチを操作すると、同様にリモコンから発信された停止信号が温水洗浄装置本体に受信され、洗浄ノズルからの温水の噴出が停止する。
【００２７】
電源プラグ４０には、漏電ブレーカユニット４１と、温水洗浄装置操作ユニット４２とが設けられている。
【００２８】
漏電ブレーカユニット４１の表面には、漏電が検知されたことを表示する漏電表示灯４３と、該漏電ブレーカユニット４１内に設けられた漏電ブレーカ（図示略）を作動点検する際に模擬的に漏電状態を発生させるためのテストボタン４４と、漏電ブレーカの作動点検の後に漏電ブレーカを復帰させるためのリセットボタン４５とが設けられている。
【００２９】
この漏電ブレーカユニット４１により、漏電発生時に漏電ブレーカが作動して温水洗浄装置本体への電流の供給を停止させると共に、漏電表示灯４３が点滅して漏電が発生したことを使用者に報知する。また、漏電ブレーカが正常に作動するかどうかを点検することもできる。
【００３０】
温水洗浄装置操作ユニット４２の表面には、温水洗浄装置本体に設けられた洗浄ノズル（図示略）を作動させるための洗浄ボタン４６と、該洗浄ノズルの作動を停止させるための停止ボタン４７とが設けられている。
【００３１】
電源プラグ４０の下面にはコードユニット４８の一端が接続されており、このコードユニット４８の他端は温水洗浄装置本体に接続されている。このコードユニット４８内には、電源プラグ４０からの商用電源を温水洗浄装置本体に供給するための電源コード（図示略）と、前記洗浄ボタン４６及び停止ボタン４７からの信号を温水洗浄装置本体の制御回路に送信するためのハーネス（図示略）が配線されている。
【００３２】
この電源プラグ４０は、トイレルームの壁面に設けられたコンセント５０の差込口５１に差し込まれる。コンセント５０のアース部５０ｅには、温水洗浄装置本体から引き出されたアース線５２が接続されている。
【００３３】
かかる構成を有した温水洗浄装置を洋風便器に設置した後、施工業者がこの温水洗浄装置の試運転を行う際には、電源プラグ４０をコンセント５０に差し込んだ後、電源プラグ４０の下部前面に設けた洗浄ボタン４６を操作する。これにより、該洗浄ボタン４６からの信号がコードユニット４８内のハーネスを介して温水洗浄装置本体内の制御回路に送信され、該制御回路が洗浄ノズルを作動させて、該ノズルから温水が噴出する。
【００３４】
次に、停止ボタン４７を操作すると、該停止ボタン４７からの信号がハーネスを介して前記制御回路に送信され、該制御回路が洗浄ノズルの作動を停止させる。このようにして試運転を行うことにより、温水洗浄装置が正常に作動するかどうかが確認される。
【００３５】
本実施の形態に係る温水洗浄装置にあっては、電源プラグ４０をコンセント５０に差し込むことにより、電源プラグ４０に設けた洗浄ボタン４６及び停止ボタン４７からの信号出力が可能となり、これらのボタン４６，４７を操作することにより温水洗浄装置本体を動作／停止させることができる。即ち、リモコンに電池を入れることなく温水洗浄装置の試運転を行うことができる。このため、リモコンに電池を入れるのは、実際の入居者ということになり、入居者は必然的にリモコンが電池式であることを知得するようになり、電池が消耗した場合に直ちに温水洗浄装置が故障したものと勘違いすることが防止される。
【００３６】
また、このように入居者がリモコンに電池を入れるため、施工業者が温水洗浄装置を設置施工してから入居者が使用を開始するまでの期間が長くても、電池が消耗しないようになる。
【００３７】
この温水洗浄装置にあっては、コードユニット４８内にハーネスと電源コードが一体的に配線されているため、トイレルーム内の電気配線をまとめることができる。
【００３８】
上記実施の形態では、電源プラグの温水洗浄装置操作ユニットからの信号はハーネスによって温水洗浄装置本体に送信されているが、無線、赤外線又は超音波により操作信号を温水洗浄装置本体に出力するものであってもよい。このようにすれば、電源コードは既存品のもので足りる。
【００３９】
温水洗浄装置本体に設けられる赤外線等の受信部は、リモコンからの信号の受信部と共通化されてもよい。このようにすれば、コストダウンを図ることができる。
【００４０】
上記実施の形態では、電源プラグには洗浄ノズルの洗浄ボタンと停止ボタンが設けられているが、これらのボタンに代えて、又はこれらのボタンと共に、温風乾燥ファンを作動させる温風乾燥ボタン、便座及び便蓋を起倒回動させる便座／便蓋開閉ボタン等を設けてもよい。ただし、電源プラグをコンパクトなものとするためには、上記実施の形態の如く、洗浄ボタンと停止ボタンのみを設けることが好ましい。電源コンセントが着座者の手の届く範囲に設けられているときには、リモコン故障時に電源プラグのスイッチを操作することにより温水洗浄することも可能である。
【００４１】
上記実施の形態にあっては、電源プラグに漏電ブレーカユニットを設けたが、該漏電ブレーカユニットを他の箇所（例えば、温水洗浄装置本体）に設け、電源プラグをコンパクトなものとしてもよい。
【００４２】
【発明の効果】
以上の通り、本発明によると、電源プラグに設けられた温水洗浄装置の操作手段を操作することにより温水洗浄装置本体を動作させることができ、温水洗浄装置本体の試運転のためにリモコンを使用する必要がない。このため、必然的に入居者が後日リモコンに電池を入れることになり、リモコンの電池が消耗したときに、電池交換せずに温水洗浄装置が故障したものと勘違いすることが防止される。また、このように試運転のためにリモコンに電池を入れる必要がないため、温水洗浄装置を新築の住宅、マンション、オフィスビル等に設置して施工業者が試運転した後、実際の入居者が温水洗浄装置を使用するまでにかなり日時が経過した場合であっても、この間に電池が消耗することがない。
【図面の簡単な説明】
【図１】実施の形態に係る温水洗浄装置の電源プラグを説明する斜視図である。
【図２】従来の温水洗浄装置を備えたトイレルーム内の斜視図である。
【図３】図２の温水洗浄装置のリモコンの正面図である。
【符号の説明】
４０  電源プラグ
４１  漏電ブレーカユニット
４２  温水洗浄装置操作ユニット
４３  漏電表示灯
４４  テストボタン
４５  リセットボタン
４６  洗浄ボタン
４７  停止ボタン
４８  コードユニット
５０  コンセント
５１  差込口
５２  アース線
【図１】
2004324169.tif 000003
【図２】
2004324169.tif 000004
【図３】
2004324169.tif 000005